(57)【要約】  床清掃装置（１）であって：ａ）前部分（１６）および２つの側方後輪（３）を含む後部分（１７）と；ｂ）シャーシ（２）と；ｃ）シャーシ（２）に取り付けられた清掃ユニット（４）であって、清掃ユニット（４）は、清掃される床（１２）と接触可能となるように清掃装置（１）の前部分（１６）に配置された、少なくとも１つの回転可能なブラシ（２０）と、少なくとも１つのブラシ（２０）の前に配置された前部吸引ユニット（８）および少なくとも１つのブラシ（２０）の後方に配置された後部吸引ユニット（７）を含む吸引装置（２５）と、を含む清掃ユニット（４）と、を含み、前部吸引ユニット（８）は、前部吸引チャネル（２９）および前部吸引チャネル（２９）を閉鎖するための閉鎖部材（２６）を含む、床清掃装置（１）。
2015536175.tif 000002
【特許請求の範囲】
【請求項１】
前部分（１６）および２つの側方後輪（３）を含む後部分（１７）と、
シャーシ（２）と、
シャーシ（２）に取り付けられた清掃ユニット（４）であって、清掃ユニット（４）は、
清掃される床（１２）と接触可能となるように清掃装置（１）の前部分（１６）に配置された、少なくとも１つの回転可能なブラシ（２０）と、
少なくとも１つのブラシ（２０）の前に配置された前部吸引ユニット（８）および少なくとも１つのブラシ（２０）の後方に配置された後部吸引ユニット（７）を含む吸引装置（２５）と、
を含む清掃ユニット（４）とを含む床清掃装置（１）であって、
前部吸引ユニット（８）は、前部吸引チャネル（２９）および前部吸引チャネル（２９）を閉鎖するための閉鎖部材（２６）を含むことを特徴とする、床清掃装置。
【請求項２】
閉鎖部材（２６）が、清掃装置（１）が前方移動方向に移動させられたときに前部吸引チャネル（２９）を閉鎖する、請求項１に記載の清掃装置。
【請求項３】
閉鎖部材（２６）が、清掃装置（１）が後方移動方向に移動させられたときに前部吸引チャネル（２９）を開放する、請求項１または２に記載の清掃装置。
【請求項４】
後部吸引ユニット（７）が、前方および後方移動方向の両方への清掃装置（１）の移動の間に開放されたままである後部吸引チャネル（３０）を含む、請求項１から３のいずれか一項に記載の清掃装置。
【請求項５】
前部吸引チャネル（２９）が、前部吸引ユニット（８）の全長にわたって清掃される床（１２）に向かって開放している吸引開口（２４）を含み、閉鎖部材（２６）は、清掃装置（１）が前方移動方向に移動させられたときに前部吸引チャネル（２９）の吸引開口（２４）を閉鎖し、清掃装置（１）が後方移動方向に移動させられたときに吸引開口（２４）を開放する、請求項１から４のいずれか一項に記載の清掃装置。
【請求項６】
前部吸引チャネル（２９）が、清掃される床（１２）に向かって開放している吸引開口（２４）を含み、閉鎖部材（２６）は、その全長に沿って吸引開口（２４）を前方に制限する前セクション（２７）と、その全長に沿って吸引開口（２４）を後方に制限する後セクション（２８）とを有するリップ（４１）を含む、請求項１から５のいずれか一項に記載の清掃装置。
【請求項７】
閉鎖部材（２６）が、清掃装置（１）の前部分（１６）を先にして、または清掃装置（１）の後部分（１７）を先にして清掃装置が移動させられたときに、清掃される床（１２）上のその摺動運動のためリップ（４１）の前セクション（２７）に作用する摩擦力によって作動される、請求項６に記載の清掃装置。
【請求項８】
リップ（４１）が弾性材料で作られている、請求項６または７に記載の清掃装置。
【請求項９】
リップ（４１）の前セクション（２７）が垂直高さＨＦを有し、リップ（４１）の後セクション（２８）は垂直高さＨＲを有し、前セクション（２７）が吸引開口（２４）を横切って屈曲可能となるようにＨＦはＨＲよりも大きくなっている、請求項６から８のいずれか一項に記載の清掃装置。
【請求項１０】
リップ（４１）の前セクション（２７）が、前セクション（２７）の一部が後セクション（２８）の下に延在するまで屈曲可能である、請求項６から９のいずれか一項に記載の清掃装置。
【請求項１１】
後部吸引ユニット（７）が後部吸引チャネル（３０）を含み、前部吸引チャネル（２９）および後部吸引チャネル（３０）はいずれも単一の真空タービン（５）と流体連通するようにマニホールド（３１）に接続されている、請求項１から１０のいずれか一項に記載の清掃装置。
【請求項１２】
前部吸引ユニット（８）および後部吸引ユニット（７）が、清掃装置（１）の前方および後方移動方向を横切って延在する、請求項１から１１のいずれか一項に記載の清掃装置。
【請求項１３】
清掃装置（１）の垂直中間平面（１８）に対して直角に測定されたときに、前部吸引ユニット（８）および後部吸引ユニット（７）は各々、垂直中間平面（８）に対して直角な少なくとも１つのブラシ（２０）の寸法以上の長さを有する、請求項１から１２のいずれか一項に記載の清掃装置。
【請求項１４】
清掃装置（１）がさらにブラシ筐体（２２）を含み、後部吸引ユニット（７）は弾性接続装置（１０）によってブラシ筐体（２２）に取り付けられて、後部吸引ユニット（７）が弾性接続装置（１０）によって提供される弾性抵抗に逆らってシャーシ（２）に対して横方向に移動できるようにする、請求項１から１３のいずれか一項に記載の清掃装置。
【請求項１５】
弾性接続装置（１０）が、ファスナ（４７）によってブラシ筐体（２２）に装着されたピボットジョイントを形成する、弾性コネクタ（１１）を含む、請求項１４に記載の清掃装置。
【請求項１６】
ピボットジョイントが、基本的に垂直に延在する回転軸（４２）を有する、請求項１５に記載の清掃装置。
【請求項１７】
後部吸引ユニット（７）が湾曲した吸引バー、好ましくは基本的に楕円形に湾曲した吸引バーを含む、請求項１から１６のいずれか一項に記載の清掃装置。
【請求項１８】
弾性接続装置（１０）が、後部吸引ユニット（７）に装着された第一末端（４９）および弾性コネクタ（１１）によってブラシ筐体（２２）に取り付けられた第二末端（５０）を有する、長尺ブラケット（４６）を含む、請求項１４から１７のいずれか一項に記載の清掃装置。
【請求項１９】
長尺ブラケット（４６）が弾性コネクタ（１１）によって静止位置で付勢され、静止位置において長尺ブラケット（４６）は、清掃装置（１）の前方または後方移動方向に沿って延在する、請求項１８に記載の清掃装置。
【請求項２０】
少なくとも１つのブラシ（２０）が、基本的に垂直に延在する回転軸（２１）を中心に回転可能である、請求項１から１９のいずれか一項に記載の清掃装置。
【請求項２１】
清掃装置（１）がさらに、清掃される床（１２）の上で清掃装置（１）を移動させるのに適したハンドルバー（６）を含む、請求項１から２０のいずれか一項に記載の清掃装置。
【請求項２２】
後部吸引ユニット（７）が後輪（３）の前に配置される、請求項１から２１のいずれか一項に記載の清掃装置。
【請求項２３】
シャーシ（２）に取り付けられて、垂直に延在するその最小寸法Ｘを有するレセプタクルとして構成された、第一タンク（１５）をさらに含む、請求項１から２２のいずれか一項に記載の清掃装置。
【請求項２４】
清掃装置（１）の後部分（１７）に配置されて、清掃装置（１）の前方または後方移動方向の最小寸法Ｚを揺するレセプタクルとして構成された、第二タンク（１３）をさらに含む、請求項２３に記載の清掃装置。
【請求項２５】
シャーシ（２）の後端から延在する長尺部材（９）をさらに含み、第二タンク（１３）は長尺部材（９）に取り付け可能である、請求項２４に記載の清掃装置。
【請求項２６】
長尺部材（９）の一端は蝶番（３９）によってシャーシ（２）に回転可能に装着されている、請求項２５に記載の清掃装置。
【請求項２７】
請求項１から２６のいずれか一項に記載の清掃装置（１）を用いて床を清掃する方法であって、
開放されたままの後部吸引チャネル（３０）内により高い真空を印加するように、前部吸引チャネル（２９）を閉鎖するために清掃装置（１）を前方移動方向に移動させるステップ、および／または
開放した前部吸引チャネル（２９）および開放した後部吸引チャネル（３０）を通じて高い一体吸引体積流量を得るように、前部吸引チャネル（２９）を開放するために清掃装置（１）を後方移動方向に移動させるステップ、
を含む方法。
【発明の詳細な説明】
【技術分野】
【０００１】
本発明は、請求項１のプリアンブルに記載の床清掃装置、および請求項２７のプリアンブルに記載の、これを用いて床を清掃する方法に関する。
【背景技術】
【０００２】
床面を清掃するための装置は、ＷＩＮＤＭＥＩＳＳＥＲの米国特許第５，９０１，４１０号明細書より知られている。この周知の清掃装置は湿式清掃に適しており、ブラシ手段の前の前部吸引ユニットおよびブラシ手段の後の後部吸引ユニットを含む。新しい洗浄液は、いずれかの移動方向で第一タンクからブラシ手段に供給される。前部吸引ユニットおよび後部吸引ユニットはいずれもブラシ手段と平行に延在し、いずれも第二タンクに接続されている。洗浄液は、清掃装置が前方移動方向に移動させられたときに後部吸引ユニットによって吸い上げられ、清掃装置が後方移動方向に移動させられたときに前部吸引ユニットによって吸い上げられる。この周知の装置の不都合は、清掃装置のいずれの移動方向においても両方の吸引ユニットがいつも起動しているのに、ブラシ手段を通じて床に適用される洗浄液を吸い上げるためには前部および後部吸引ユニットのうちの１つしか使用されないことである。
【先行技術文献】
【特許文献】
【０００３】
【特許文献１】米国特許第５９０１４１０号明細書
【発明の概要】
【発明が解決しようとする課題】
【０００４】
本発明の目的は、前部および後部吸引ユニットを有し、吸引ユニットに印加される真空を増加させるかまたは真空タービン出力を変化させることなく吸引体積流量を増加させることを可能にする、床清掃装置を提供することである。
【課題を解決するための手段】
【０００５】
本発明は、請求項１の特徴を含む床清掃装置、ならびにこれを用いて請求項２７の特徴を有する床を清掃する方法によって、提示された問題を解決する。
【０００６】
本発明による床清掃装置の利点は基本的に、以下のことに見られる：
−前方移動方向への清掃装置の移動の間、前部吸引チャネルは閉鎖され、真空タービンの全吸引能力は後部吸引ユニットに集中する。前部吸引チャネルが閉鎖されているため、吸引体積流量は減少し、したがって清掃装置が前方移動方向に移動させられたときに、後部吸引チャネル内の真空の増加が実現されることが可能である。
−後方移動方向への清掃装置の移動の間、前部吸引ユニットおよび後部吸引ユニットが活発に洗浄液を吸い上げ、高い一体吸引体積流量を生じるように、前部吸引ユニットが開放する。
−したがって、両方の吸引ユニットが同時に起動して高い吸引体積流量を許容するとき、または後部吸引ユニットのみが起動して高真空を許容するときに一定の吸引力を有する真空タービンが、使用される。
【０００７】
特殊な実施形態において、閉鎖部材は、清掃装置が前方移動方向に移動させられたときに前部吸引チャネルを閉鎖する。
【０００８】
別の実施形態において、閉鎖部材は、清掃装置が後方移動方向に移動させられたときに前部吸引チャネルを開放する。この構成のため、前部吸引チャネルは、単純に清掃装置の移動方向を変更することによって、開閉されることが可能である。
【０００９】
さらなる実施形態において、後部吸引ユニットは、前方および後方移動方向の両方への清掃装置の移動の間に開放されたままである、後部吸引チャネルを含む。この構成は、後部吸引チャネルがいずれかの移動方向に開放しているので、清掃ユニットの吸引体積流量は後方移動方向への清掃装置の移動によって単純に増加させられることが可能であるという利点を可能にする。
【００１０】
さらなる実施形態において、前部吸引チャネルは、前部吸引ユニットの全長にわたって清掃される床に向かって開放している吸引開口を含み、閉鎖部材は、清掃装置が前方移動方向に移動させられるときに前部吸引チャネルの吸引開口を閉鎖し、清掃装置が後方移動方向に移動させられるときに吸引開口を開放する。これにより、閉鎖部材の単純な構成が実現可能である。
【００１１】
別の実施形態において、前部吸引チャネルは、清掃される床に向かって開放している吸引開口を含み、閉鎖部材は、その全長に沿って吸引開口を前方に制限する前セクションと、その全長に沿って吸引開口を後方に制限する後セクションとを有する、リップを含む。これにより、前部吸引チャネルの吸引開口を開閉させるためにリップの前セクションが使用され得るという利点が実現可能である。
【００１２】
好ましくは、閉鎖部材は、清掃装置が清掃装置の前方移動方向へまたは清掃装置の後方移動方向へ移動させられたときに清掃される床上のその摺動運動のためリップの前セクションに作用する摩擦力によって、作動される。この構成の利点は、閉鎖部材が、いかなる補助駆動または装置も用いずに作動させられることが可能であって、作業者によって個別に作動されてはならないという点に見られる。好ましくは、リップは弾性材料で作られており、リップの前セクションが付勢されて前部吸引開口が開放されたその初期構成になるという利点を可能にする。
【００１３】
さらなる実施形態において、リップの前セクションは垂直高さＨＦを有してリップの後セクションは垂直高さＨＲを有し、前セクションが吸引開口を横切って屈曲可能となるように、ＨＦはＨＲよりも大きくなっている。これにより、清掃装置が前方移動方向に移動させられたときに、結果的に吸引スロットが閉鎖されて前部吸引ユニットによって生じる吸引がほんのわずかであるかまたは全くなくなるように、リップの前セクションが後セクションの下に曲げられるという利点が実現されることが可能である。清掃装置が後方移動方向に移動させられたとき、リップの前セクションは最初に清掃される床と接触し、前部吸引ユニットの吸引スロットが開放されて前部吸引バーがこの状態において標準吸引バーの機能を実行するように、後方移動方向と反対に、すなわち清掃装置の前端に向かって押される。
【００１４】
好ましくは、リップの前セクションは、前部吸引チャネルの吸引開口が完全に閉鎖可能となるように、前セクションの一部が後セクションの下に延在するまで屈曲可能である。
【００１５】
さらなる実施形態において、後部吸引ユニットは後部吸引チャネルを含み、前部吸引チャネルおよび後部吸引チャネルはいずれも、単一の真空タービンと流体連通するように、マニホールドに接続されている。この構成の利点は、清掃装置が単一の真空タービンで操作可能であるという点である。好ましくは、清掃ユニットは、真空タービン用の第一電気駆動モータ、および少なくとも１つのブラシ用の少なくとも１つの第二電気駆動モータを含む。
【００１６】
やはりさらなる実施形態において、前部吸引ユニットおよび後部吸引ユニットは、清掃装置の前方および後方移動方向を横切って延在する。好ましくは、清掃装置の垂直中間平面に対して直角に測定されたときに、前部吸引ユニットおよび後部吸引ユニットは各々、垂直中間平面に対して直角な少なくとも１つのブラシの寸法以上の長さを有する。
【００１７】
別の実施形態において、清掃装置はさらにブラシ筐体を含み、後部吸引ユニットは弾性接続装置によってブラシ筐体に取り付けられて、後部吸引ユニットが弾性接続装置によって提供される弾性抵抗に逆らってシャーシに対して横方向に移動できるようにする。
【００１８】
好ましくは、弾性接続装置は、ファスナによってブラシ筐体に装着されたピボットジョイントを形成する、弾性コネクタを含む。好ましくはピボットジョイントは、基本的に垂直に延在する回転軸を有する。
【００１９】
別の実施形態において、後部吸引ユニットは湾曲した吸引バー、好ましくは基本的に楕円形に湾曲した吸引バーを含む。
【００２０】
さらなる実施形態において、弾性接続装置は、後部吸引ユニットに装着された第一末端および弾性コネクタによってブラシ筐体に取り付けられた第二末端を有する、長尺ブラケットを含む。好ましくは、長尺ブラケットは弾性コネクタによって静止位置で付勢され、静止位置において長尺ブラケットは、清掃装置の前方または後方移動方向に沿って延在する。
【００２１】
さらなる実施形態において、少なくとも１つのブラシは、基本的に垂直に延在する回転軸を中心に回転可能である。
【００２２】
別の実施形態において、清掃装置はさらに、清掃される床の上で清掃装置を移動させるのに適したハンドルバーを含む。
【００２３】
好ましくは、後部吸引ユニットは後輪の前に配置される。この構成は、清掃装置が前方移動方向に移動させられたときに、後輪が清掃される床の濡れた領域の外側を移動するという利点を可能にする。
【００２４】
さらなる実施形態において、清掃装置はさらに、シャーシに取り付けられて、清掃装置の前方および後方移動方向に対して垂直に延在するその最小寸法Ｘを有するレセプタクルとして構成された、第一タンクを含む。好ましくは、清掃装置はさらに、清掃装置の後部分に配置されて、清掃装置の前方または後方移動方向の最小寸法Ｚを有するレセプタクルとして構成された、第二タンクを含む。
【００２５】
別の実施形態において、清掃装置はさらに、シャーシの後端から延在する長尺部材を含むことが可能であり、第二タンクは長尺部材に取り付け可能である。好ましくは、長尺部材の一端は、蝶番によってシャーシに回転可能に装着されている。この構成は、テーブルの下の床を清掃できるように、第二タンクが取り付けられた長尺部材が蝶番の回転軸を中心に後方に回転できるという利点を可能にする。
【００２６】
本発明の特殊な実施形態は、例示によって、および以下の添付図面を参照して、後述される。
【図面の簡単な説明】
【００２７】
【図１】本発明による床清掃装置の実施形態の側面図である。
【図２】図１に示される本発明による床清掃装置の実施形態の前部分の分解斜視図である。
【図３】垂直中間平面に沿ったブラシ筐体の断面図である。
【図４】図３の詳細Ｂの拡大断面図である。
【図５】第二タンクが垂直および後方傾斜位置で付加的に示された、図１に示される本発明による床清掃装置の実施形態の側面図である。
【発明を実施するための形態】
【００２８】
本発明はその具体的実施形態と併せて記載されるものの、当業者にとって多くの変更、修正、および変形例が自明となることは、明らかである。したがって、添付請求項の精神および広い範囲に含まれるようなすべての変更、修正および変形例を含むように意図される。
【００２９】
本明細書において言及されるすべての文献、特許、および特許出願は、個別の各文献、特許、および特許出願が具体的かつ個別に参照により本明細書に組み込まれるのと同じ程度に、その全体が参照により本明細書に組み込まれる。加えて、本願のいずれの参考文献の引用または特定も、このような参考文献が本発明に対する従来技術として利用可能であるという許可として解釈されるべきではない。セクションの見出しが使用される限りにおいて、これらは必ずしも限定的に解釈されるべきではない。「ｃｏｍｐｒｉｓｅｓ（含む）」、「ｃｏｍｐｒｉｓｉｎｇ」、「ｉｎｃｌｕｄｅｓ（含む）」、「ｉｎｃｌｕｄｉｎｇ」、「ｈａｖｉｎｇ（有する）」、およびこれらの活用形は、「〜を含むがこれらに限定されるものではない」ことを意味する。この用語は、「〜からなる」および「基本的に〜からなる」という用語を包含する。
【００３０】
用語「前部」、「後部」、「前方」、および「後方」は、前部分を先にして清掃される床上で清掃装置が移動するように、清掃装置の「前方移動方向」に向けられること、すなわち清掃装置の前部分に向かってハンドルバーを手動で押すことに夜清掃装置の運動として、理解される。用語「後方移動方向」は、清掃装置が後部分を先にして床上を移動するように、ハンドルバーを引くことによって反対の移動方向となることを意味する。言い回し「側方」または「横方向に」は、前方および後方移動方向に対して隣に位置するまたは交差方向に延在するものとして理解される。さらに、用語「シャーシの下側」、「シャーシの上側」、「上」、「下」、「垂直」、および「水平」は、清掃される床上に位置する清掃装置を基準とする。
【００３１】
用語「シャーシ」は、清掃装置の様々な部品を所定位置で支持および／または保持し、ハンドルバーが装着されて後輪が回転可能に取り付けられる骨組として、理解される。
【００３２】
本明細書において使用される際に、「ａ」、「ａｎ」、および「ｔｈｅ」は、文脈において別途明確に指示しない限り、複数形を含む。たとえば、用語「ａ  ｂｒｕｓｈ（ブラシ）」または「ａｔ  ｌｅａｓｔ  ｏｎｅ  ｂｒｕｓｈ（少なくとも１つのブラシ）」は、複数のブラシを含んでもよい。
【００３３】
本願全体を通じて、本発明の様々な実施形態が範囲形式において提示される。範囲形式における記載は単なる利便性および簡潔さのためであり、本発明の範囲に対する固定的な限定として解釈されるべきではないことは、理解されるべきである。したがって、範囲の記載は、可能性のあるすべての小範囲、ならびにこの範囲内の個々の数値を具体的に開示したと見なされるべきである。たとえば、１から６などの範囲の記載は、１から３、１から４、１から５、２から４、２から６、３から６などの小範囲、ならびにたとえば１、２、３、４、５、および６などのこの範囲内の個別の数字を具体的に開示したと見なされるべきである。これは、範囲の広さにかかわらず適用される。
【００３４】
本明細書において数値範囲が示されるときはいつも、提示された範囲内のいずれの引用数値（小数または整数）も含むように意図される。第一表示数と第二表示数との「間の範囲」および第一表示数「から」第二表示数「までの範囲」というフレーズは、本明細書において同義に使用され、第一および第二表示数ならびにその間のすべての小数および整数を含むように意図される。
【００３５】
明確さのために個別の実施形態の文脈において記載される本発明の特定の特徴はまた、単一の実施形態において組み合わせて提供されてもよいことが、理解される。逆に、簡潔さのために単一の実施形態の文脈において記載される本発明の様々な特徴はまた、本発明のいずれか別に記載された実施形態において、個別に、またはいずれか適切なサブコンビネーションで、または適切に提供されてもよい。様々な実施形態の文脈において記載される特定の特徴は、これらの要素がなければ実施形態が機能しないのでない限り、これらの実施形態の不可欠な特徴と見なされるべきではない。本明細書において使用される際に、用語「方法」は、機械工学の熟練者にとって周知の、または彼らによって周知のやり方、手段、手法、および手順から容易に開発されるやり方、手段、手法、および手順を含むがこれらに限定されない、任意のタスクを成就するためのやり方、手段、手法、および手順を指す。
【００３６】
用語「例示的」は本明細書において、「例、事例、または説明の役割を果たす」ことを意味するために使用される。「例示的」と記載されるいずれの実施形態も、必ずしも別の実施形態よりも好適または有利であると解釈されるものではなく、および／または別の実施形態からの特徴の組み込みを排除するものではない。
【００３７】
用語「随意に」は本明細書において、「ある実施形態では提供されるが別の実施形態では提供されない」ことを意味するために使用される。本発明のいずれの具体的実施形態も、このような特徴が矛盾しない限り、複数の「随意的な」特徴を含んでもよい。
【００３８】
図１から図４は、床１２の湿式清掃のための清掃装置１の実施形態を示す。清掃装置１は基本的に、前部分１６、２つの側方後輪３を有する後部分１７、シャーシ２、およびシャーシ２に取り付けられた清掃ユニット４を含む。例示的には、清掃装置１には、清掃される床１２上で清掃装置１を移動させるのに適したハンドルバー６が設けられてもよい。あるいは、清掃装置１はモータによって駆動され、清掃装置１に取り付けられた制御手段を用いて作業者によって制御されることが可能であり、若しくは遠隔操作によって制御されることが可能である。ハンドルバー６は、ハンドルバー６が清掃装置１を前方および後方移動方向に手動で移動させられるように、基本的に垂直に延在する長尺部材９、たとえば支柱によって、シャーシ２に取り付けられることが可能である。本発明による清掃装置１の様々な実施形態において、清掃ユニット４は、１つ以上のブラシ２０を含むことができる。例示的には、ただし限定的ではなく、図１から図５に示される清掃装置１の実施形態には、２つのブラシ２０を含む清掃ユニット４が設けられている。２つのブラシ２０は、ブラシ筐体２２に回転可能に取り付けられている。ブラシ２０は各々回転軸２１を中心に回転可能である。ブラシ２０にはたとえば、ただし限定的ではなく、垂直中間平面１８の両側で垂直に、および清掃装置の前方および後方移動方向に対して基本的に垂直に延在する、その回転軸２１が配置されることが可能である。あるいは、１つ以上のブラシ２０には、清掃装置１の横方向に水平に延在するその回転軸２１が配置されることが可能である。
【００３９】
さらに、清掃ユニット４は、第一タンク１５、第二タンク１３、好ましくは２つの回転ブラシ２０、および汚れた洗浄液の吸い上げを可能にする吸引装置２５を含むことができる。第一タンク１５は浄水供給のために使用され、その一方で第二タンク１３は、床１２から吸い上げられた汚れた洗浄水が可撓管３３を通じて吸引装置２５によって送達される回収水タンクとして使用される。さらに、清掃ユニット４は、真空タービン５を駆動するための第一電気駆動モータ（図示せず）、ならびに各々が２つのブラシ２０のうちの１つを駆動するための第二および第三電気駆動モータ（図示せず）を、含むことができる。清掃装置１には、電気駆動モータに電気エネルギーを供給するための電池３５、好ましくはリチウムイオン電池が設けられることが可能である。２つのブラシ２０は、反対の回転方向に回転することが可能である。
【００４０】
好ましくは、第一タンク１５は浄水タンクとして構成され、第二タンク１３は回収水タンクとして構成される。さらに、第一タンク１５は高速固定装置によってシャーシ２に取り外し可能に装着されることが可能であり、第二タンク１３は高速固定装置によって長尺部材９に取り外し可能に装着されることが可能である。第一タンク１５、すなわち浄水タンクは、第一タンク１５からノズル４５（図２）を介して各々のブラシ２０まで水を流すように、配管および／または可撓管システム（図示せず）に接続されている。ブラシ２０は、清掃装置１の前部分１６内の後輪３の前に配置されており、清掃される床１２と接触可能となるように、シャーシ２の下側１９から突起している。ブラシ筐体２２は、その下側１９においてシャーシ２に取り付けられることが可能である。
【００４１】
吸引装置２５は、ブラシ２０の前に配置された前部吸引ユニット８、少なくとも１つのブラシ２０の後方に配置された後部吸引ユニット７、ならびに前部吸引ユニット８および後部吸引ユニット７に動作可能に接続された真空タービン５を、含むことができる。前部および後部吸引ユニット８、７の各々は、ブラシ筐体２２に取り付けられることが可能である。前部吸引ユニット８は、線形吸引バーとして構成されることが可能であり、前部吸引チャネル２９と、清掃装置１が前方移動方向に移動させられたときに前部吸引チャネル２９を閉鎖する閉鎖機構２６と、を含むことができる。２つのブラシ２０、前部吸引ユニット８、および後部吸引ユニット７は、清掃装置１が図１に示されるように作業位置にあるときに清掃される床１２と接触するための、床接触領域４４を画定する。閉鎖機構２６は、後輪３に対して床接触領域４４を上昇させるように清掃装置１が後方に傾斜したときに、前部吸引チャネル２９を開放する。これとは別に、閉鎖機構２６は、清掃装置１が後方移動方向に移動させられたときに、前部吸引チャネル２９を開放する。さらに、後部吸引ユニット７は、前方および後方移動方向への清掃装置１の移動の間に開放している後部吸引チャネル３０を含む。これにより、清掃ユニット４の吸引体積流量は、清掃装置１を後方移動方向に移動させることによって単純に増加させられることが可能であり、その一方で後部吸引ユニット７に印加される真空は、前部吸引ユニット８が閉鎖される前方移動方向へ清掃装置１を移動させることによって、増加させられることが可能である。前部吸引チャネル２９は、前部吸引ユニット８の全長にわたって清掃される床１２に向かって開放している吸引開口２４を含む。閉鎖機構２６は、清掃装置１が前方移動方向に移動させられたときに前部吸引チャネル２９の吸引開口２４を閉鎖して、清掃装置１が後方移動方向に移動させられたときに吸引開口２４を開放するように、構成されることが可能である。この目的のため、閉鎖機構２６は、プラスチックまたはゴムのガスケットとして構成されることが可能なリップ４１を含むことができ、リップ４１は、その全長に沿って吸引開口２４を前方に制限する前セクション２７（図３および図４）と、その全長に沿って吸引開口２４を後方に制限する後セクション２８と、を有することができる。清掃装置１が床接触領域４４を清掃される床１２と接触させたその作業位置において前方または後方に移動させられたときに閉鎖機構２６は、清掃装置がその前方移動方向に、すなわちシャーシ２の前部分１６を先にして、あるいは後方移動方向に、すなわちシャーシ２の後部分１７を先にして移動させられたときの、清掃される床１２上の前セクション２７の摺動運動によってリップ４１の前セクション２７に作用する摩擦力によって、作動、すなわち閉鎖させられ、および／または開放される。
【００４２】
好ましくは、リップ４１の前セクション２７および後セクション２８は、弾性材料で作られている。これにより、リップ４１の前セクション２７は付勢されて、リップ４１を含む床接触領域４４が清掃される床１２から持ち上げられたときに前部吸引開口２４が開放する初期構成になることが可能である。リップ４１の前セクション２７は、ブラシ筐体２２の底部から突起している垂直高さＨＦを有し、リップ４１の後セクション２８は、ブラシ筐体２２の底部から突起している垂直高さＨＲを有する。その結果、リップ４１の前セクション２７が前部吸引チャネル２９の吸引開口２４を横切って屈曲可能となるように、ＨＦはＨＲよりも大きくなっている。清掃装置１を前方移動方向に移動させると、リップ４１の前セクション２７は後セクション２８の下に曲げられて吸引スロット２４は閉鎖される。清掃装置１を後方移動方向に移動させると、リップ４１の前セクション２７は、前部吸引ユニット８の吸引スロット２４が開放されるように清掃装置１の前端３８に向かって押される。好ましくは、リップ４１の前セクション２７は、前部吸引チャネル２９の吸引開口２４を完全に閉鎖するように、前セクション２７の一部がリップ４１の後セクション２８の下に延在するまで屈曲可能である。前部吸引ユニット８および後部吸引ユニット７は清掃装置１の前方および後方移動方向を横切って延在し、−シャーシ２の垂直中間平面１８に対して直角に測定されたときに−前部吸引ユニット８および後部吸引ユニット７は各々、垂直中間平面１８に対して直角な２つのブラシ２０の寸法以上の長さを有する。さらに、後部吸引ユニット７は後部吸引チャネル３０を含み、前部吸引チャネル２９および後部吸引チャネル３０はいずれも、単一の真空タービン５と流体連通するように、マニホールド３１に接続されている。真空タービン５は、清掃装置１の前方および後方移動において洗浄液の活発な吸引のために十分な真空を生じるように構成されている。清掃装置１は、前方移動において全体的な真空能力が後部吸引装置７に集中するように、構成されている。これは、前方移動の間、リップ４１の前セクション２７が前部吸引装置８におけるいかなる気流も防止するということによる。後方移動の間、前部吸引ユニット８は、気流および洗浄液の活発な吸い上げを許容する。後方移動の間、前部８および後部７の両方の吸引ユニットは、洗浄液を活発に吸い上げる。
【００４３】
図１から図３に示されるように、吸引装置２５は、弾性接続装置１０によってブラシ筐体２２に取り付けられた後部吸引ユニット７を含み、後部吸引ユニット７が弾性接続装置１０によって提供される弾性抵抗に逆らってシャーシ２に対して横方向に移動できるようにする。弾性接続装置１０は、後部吸引ユニット７に装着された第一末端４９および弾性コネクタ１１によってブラシ筐体２２に取り付けられた第二末端５０を有する、長尺ブラケット４６を含むことができる。長尺ブラケット４６の第一末端４９は、後部吸引ユニット７のしっかりした固定を提供するために、Ｙ字型であってもよい。弾性コネクタ１１は好ましくは、ファスナ４７によってブラシ筐体２２に装着されたピボットジョイントを形成し、ピボットジョイントは、清掃装置１の前方または後方移動方向に対して垂直に延在する回転軸４２を有する。弾性コネクタ１１は、プラスチックまたはゴムからなってもよい。弾性コネクタ１１の外周は、弾性コネクタ１１と長尺ブラケット４６との間の回転を防止するために多角形に構成されることが可能であり、あるいは接着またはその他の当業者にとって周知の手段によって長尺ブラケット４６に回転可能に安定して装着されることが可能である。弾性コネクタ１１によって、長尺ブラケット４６は、長尺ブラケット４６が清掃装置１の前方または後方移動方向に沿って延在する静止位置で付勢される。後部吸引ユニット７は、ブラシ２０のうちの１つの直径の最低３０％、好ましくは最低３５％の間隔だけ、ブラシ筐体２２から後方に離間することが可能である。長尺ブラケット４６はブラシ２２に弾性的に取り付けられるということのため、後部吸引ユニット７は、清掃装置１が湾曲経路に沿って移動させられたときにブラシ２０の経路を辿ることが可能であり、あるいは清掃装置１が、弾性コネクタ１１によって提供される弾性抵抗に逆らってその静止位置から後部吸引ユニット７を弾性的に押し出すのに十分なほど垂直壁に沿って移動させられたときに、この壁に対して弾性的に押圧されることが可能である。好ましくは、後部吸引ユニット７は、ブラシが部分的に取り囲まれるように、２つのブラシ２０の後部分の周りの弧に沿って延在する、湾曲した吸引バーを含む。２つのブラシを有する清掃装置１の実施形態において、後部吸引ユニット７は好ましくは、ブラシ２０の対の後周縁部の一部の周りにより良く適合するように、基本的に楕円形に湾曲した吸引バーとして構成される。さらに、各ストッパピン４３は、ブラケット１１の旋回運動を制限するように、垂直中間平面１８の片側のブラシ筐体２２の上側に実装されることが可能である。好ましくは、ストッパピン４３は、最大±６０°、好ましくは最大±４５°および最低±３０°、好ましくは最低±３５°以内に、ブラケット１１の旋回運動を制限する。
【００４４】
図５に最もわかりやすく示されるように、第一タンク１５はシャーシ２に取り付け可能であり、清掃装置１の前方および後方移動方向に対して垂直に延在するその最小寸法Ｘを有するレセプタクルとして構成されている。さらに、清掃装置１は、シャーシ２の末端からハンドルバー６まで延在する長尺部材９を含むことができ、第二タンク１３は長尺部材９に取り付け可能である。第二タンク１３は、長尺部材９およびハンドルバー６によって画定される平面に対して基本的に直角に延在する最小寸法Ｚを有する。長尺部材９の一端は、清掃装置１の横方向に延在する回転軸４０を有する蝶番３９によって、シャーシ２に回転可能に装着されることが可能である。これにより、第二タンク１３が取り付けられた長尺部材９は、テーブルの下またはベンチの下の床１２を清掃できるように、蝶番の回転軸４０を中心に後方に回転できる。長尺部材９は調整可能であり、水平面に対して−９０°から＋９０°の間の選択された角度で弛緩可能に固定可能である。このため、第二タンク１３が取り付けられた長尺部材９は、最小空間上で清掃装置１を脇へ置くのに適した基本的に垂直な位置から、清掃装置１全体の全高を縮小させられる水平位置まで、回転させられることが可能である。ブラシ２０および後部吸引ユニット７は、清掃装置１が作業位置にあるときに床接触領域４４を画定し、第一タンク１５は床接触領域４４に対して最大４０ｃｍ、好ましくは最大３５ｃｍの高さまで、垂直に延在することができる。好適な実施形態において、第一および第二タンク１５、１３の各々は、通常９リットルの容積を有することができる。一実施形態において、清掃装置１は付加的に、蝶番３９の回転軸４０を中心に長尺部材９を回転させるための機械的作動装置（図示せず）、好ましくはレバーホイストを含むことができる。このため、第二タンク１３の重量は、第二タンク１３が取り付けられた長尺部材９の調整の間にユーザによって垂直位置から水平位置へ、またはその逆に、手動で持ち上げられまたは下ろされてはならない。第二タンク１３の重量は、機械的作動装置によって持ち上げられまたは下ろされることが可能である。好ましくは、第一タンク１５は、最大水平断面積を有するように、清掃装置１の前および後部分１６、１７の上に長手方向に延在する。第一タンク１５は、たとえばベンチの下の床１２を清掃するのに適した清掃装置１の前下部分１６を実現するために、シャーシ２の前端３８に向かって先細っていてもよい。
【００４５】
本発明の様々な説明が上記に記載されたが、様々な特徴が単独で、またはいずれかの組み合わせにおいて使用可能であることは、理解されるべきである。本発明の範囲は、添付請求項に明記されるように、相応に定義される。
【図１】
2015536175.tif 000003
【図２】
2015536175.tif 000004
【図３】
2015536175.tif 000005
【図４】
2015536175.tif 000006
【図５】
2015536175.tif 000007
【国際調査報告】
2015536175.tif 000008
2015536175.tif 000009